(57)【要約】【課題】チェックアウト処理を効率良く行い、かつ、顧客の支払金の入金処理タイミングの制限を緩和する。【解決手段】レジ釣銭機システムは、取引毎に、購入商品の合計金額の算出、及び釣銭額の算出を行うレジスタ３０と、取引毎に、入金された貨幣の計数、入金データの作成、及び前記釣銭額の釣銭貨幣の出金を行う釣銭機１と、を備える。レジスタ３０は、釣銭機１から前記入金データを取得し、前記合計金額と前記入金データとに基づいて前記釣銭額を算出する。釣銭機１は、貨幣の入金を締め切る締切通知を受け付ける締切受付部を有し、１つ前の取引に対応する釣銭貨幣を出金してから、前記締切受付部が前記締切通知を受け付けるまでの間、貨幣の入金を受け付ける。【選択図】図１
2012128715.tif 000002
【特許請求の範囲】
【請求項１】
取引毎に、購入商品の合計金額の算出、及び釣銭額の算出を行うレジスタと、
取引毎に、入金された貨幣の計数、入金データの作成、及び前記釣銭額の釣銭貨幣の出金を行う釣銭機と、
を備えるレジ釣銭機システムであって、
前記レジスタは、前記釣銭機から前記入金データを取得し、前記合計金額と前記入金データとに基づいて前記釣銭額を算出し、
前記釣銭機は、貨幣の入金を締め切る締切通知を受け付ける締切受付部を有し、１つ前の取引に対応する釣銭貨幣を出金してから、前記締切受付部が前記締切通知を受け付けるまでの間、貨幣の入金を受け付けることを特徴とするレジ釣銭機システム。
【請求項２】
前記レジスタは、前記合計金額の算出に伴い前記釣銭機から前記入金データを取得し、この入金データの取得後、前記釣銭機に対して追加入金の有無を少なくとも１回問い合わせ、追加入金がないことを条件として前記締切受付部に対して前記締切通知を出力することを特徴とする請求項１に記載の釣銭機システム。
【請求項３】
前記レジスタは、入金締切を指示する締切指示部を有し、この締切指示部が操作されることにより、前記締切受付部に対して前記締切通知を出力し、前記釣銭機から前記入金データを取得することを特徴とする請求項１に記載の釣銭機システム。
【請求項４】
前記釣銭機は、入金締切を指示する締切指示部を有し、この締切指示部が操作されることにより、前記締切受付部が締切通知を受け付けるとともに、当該釣銭機が前記レジスタに対し入金締切通知を出力し、
前記レジスタは、前記釣銭機から前記入金締切通知を受け取った後、前記合計金額の算出完了を条件として、前記釣銭機から前記入金データを取得することを特徴とする請求項１に記載の釣銭機システム。
【請求項５】
前記釣銭機は、前記入金データを記憶する記憶部を有し、追加入金に伴い前記記憶部に記憶されている入金データを更新し、前記レジスタから入金データの出力要求を受け付けると、前記記憶部に記憶されている入金データを前記レジスタに通知することを特徴とする請求項１に記載のレジ釣銭機システム。
【請求項６】
前記釣銭機は、前記記憶部に記憶されている入金データを表示する表示部を有することを特徴とする請求項５に記載のレジ釣銭機システム。
【請求項７】
前記釣銭機が前記締切通知を受け取るか、又は釣銭貨幣を出金することに伴い、前記記憶部は、前記入金データを入金確定情報として記憶することを特徴とする請求項６に記載のレジ釣銭機システム。
【請求項８】
前記釣銭機は、過去の取引の入金確定情報の表示指示を受け付ける指示受付部を有し、前記指示受付部が前記表示指示を受け付けると、前記表示部が前記記憶部に記憶されている入金確定情報を表示することを特徴とする請求項７に記載のレジ釣銭機システム。
【請求項９】
前記指示受付部が前記表示指示を受け付ける度に、前記表示部は、前記記憶部に記憶されている前記入金確定情報を新しいものから順に１つずつ表示することを特徴とする請求項８に記載のレジ釣銭機システム。
【請求項１０】
前記レジスタは、前記釣銭機が釣銭貨幣を出金すると、取引を識別する取引ＩＤを印字したレシートを出力すると共に、この取引ＩＤを前記釣銭機に通知し、
前記記憶部は、前記入金確定情報と前記取引ＩＤとを紐付けて記憶し、
前記指示受付部は、取引ＩＤが入力可能であり、前記指示受付部に前記表示指示と共に取引ＩＤが入力されると、前記表示部は、入力された取引ＩＤに紐付けられて前記記憶部に記憶されている入金確定情報を表示することを特徴とする請求項８に記載のレジ釣銭機システム。
【請求項１１】
前記レジスタは、取引毎に前記合計金額及び前記釣銭額を前記釣銭機に通知し、
前記釣銭機は、前記入金確定情報、前記合計金額、及び前記釣銭額を取引毎に前記記憶部に記憶し、
前記表示部は、前記指示受付部が前記表示指示を受け付けると、前記入金確定情報、前記合計金額、及び前記釣銭額を表示することを特徴とする請求項８乃至１０のいずれかに記載のレジ釣銭機システム。
【請求項１２】
入金された貨幣の計数、入金データの作成、及びレジスタから指示された釣銭額の釣銭貨幣の出金を取引毎に行う釣銭機であって、
貨幣の入金を締め切る締切通知を受け付ける締切受付部を備え、
前記レジスタからの問い合わせに基づいて、前記入金データを前記レジスタに通知し、
１つ前の取引に対応する釣銭貨幣を出金してから、前記締切受付部が前記締切通知を受け付けるまでの間、貨幣の入金を受け付けることができることを特徴とする釣銭機。
【請求項１３】
入金された貨幣の計数、入金データの作成、レジスタが算出した購入商品の合計金額の取得、前記入金データと前記合計金額とに基づく釣銭額の算出、及び前記釣銭額の釣銭貨幣の出金を取引毎に行う釣銭機であって、
貨幣の入金を締め切る締切通知を受け付ける締切受付部を備え、
１つ前の取引に対応する釣銭貨幣を出金してから、前記締切受付部が前記締切通知を受け付けるまでの間、貨幣の入金を受け付けることができることを特徴とする釣銭機。
【請求項１４】
機内に貨幣を補充する補充指示を受け付ける指示受付部をさらに備え、
前記指示受付部が前記補充指示を受け付けると、作成した入金データを消去することを特徴とする請求項１２又は１３に記載の釣銭機。
【発明の詳細な説明】
【技術分野】
【０００１】
本発明は、顧客の支払金の入金処理及び釣銭の出金処理を行うレジ釣銭機システム及び釣銭機に関する。
【背景技術】
【０００２】
スーパーマーケットやコンビニエンスストア等の小売店におけるチェックアウト処理では、まず、店員が顧客の購入商品をＰＯＳレジに登録し、買上合計金額をＰＯＳレジのカスタマーディスプレイに表示させる。顧客はカスタマーディスプレイに表示された買上合計金額を見てから、又は事前に、支払金を吟味台に置く。店員が、吟味台に置かれた顧客の支払金を釣銭機に投入すると、釣銭機が投入金額を計数してＰＯＳレジに通知する。ＰＯＳレジは、釣銭機から通知された金額と、買上合計金額とから釣銭額を算出し、釣銭機に釣銭額を通知して釣銭の出金命令を行う。釣銭機は、ＰＯＳレジからの釣銭出金命令に基づいて釣銭を出金し、出金後に出金完了をＰＯＳレジに通知する。ＰＯＳレジは、釣銭機から出金完了の通知を受け取るとレシートを印刷する。そして、店員が、釣銭機から出金された釣銭と共に、ＰＯＳレジにより印刷されたレシートを顧客に手渡すことでチェックアウト処理が完了する。このようなチェックアウト処理では、顧客の購入商品の登録後に、顧客の支払金を釣銭機に投入していたため、チェックアウト処理に時間がかかっていた。
【０００３】
チェックアウト処理にかかる時間を短縮するために、店員が顧客の購入商品を登録する処理と、顧客が支払金を入出金装置に入金する処理とを並行して行うチェックアウト処理方法が提案されている（例えば特許文献１参照）。このチェックアウト処理方法では、商品登録が終了したときに、入金額と買上合計金額との比較が即座に行われ、入金額が買上合計金額以上であった場合、釣銭が払い出されていた。そのため、商品登録が終了した時点で入金額（顧客の支払額）が買上合計金額以上であると、その後、支払いに用いる貨幣の変更や、所望の釣銭を受け取るための支払金の追加などを行うことが出来なかった。
【先行技術文献】
【特許文献】
【０００４】
【特許文献１】特開平６−６０２７１号公報
【発明の概要】
【発明が解決しようとする課題】
【０００５】
本発明は、このような点を考慮してなされたものであり、チェックアウト処理を効率良く行い、かつ、顧客の支払金の入金処理タイミングの制限を緩和したレジ釣銭機システム及び釣銭機を提供することを目的とする。
【課題を解決するための手段】
【０００６】
本発明の一態様によるレジ釣銭機システムは、取引毎に、購入商品の合計金額の算出、及び釣銭額の算出を行うレジスタと、取引毎に、入金された貨幣の計数、入金データの作成、及び前記釣銭額の釣銭貨幣の出金を行う釣銭機と、を備えるレジ釣銭機システムであって、前記レジスタは、前記釣銭機から前記入金データを取得し、前記合計金額と前記入金データとに基づいて前記釣銭額を算出し、前記釣銭機は、貨幣の入金を締め切る締切通知を受け付ける締切受付部を有し、１つ前の取引に対応する釣銭貨幣を出金してから、前記締切受付部が前記締切通知を受け付けるまでの間、貨幣の入金を受け付けるものである。
【０００７】
本発明の一態様によるレジ釣銭機システムにおいては、前記レジスタは、前記合計金額の算出に伴い前記釣銭機から前記入金データを取得し、この入金データの取得後、前記釣銭機に対して追加入金の有無を少なくとも１回問い合わせ、追加入金がないことを条件として前記締切受付部に対して前記締切通知を出力することが好ましい。
【０００８】
本発明の一態様によるレジ釣銭機システムにおいては、前記レジスタは、入金締切を指示する締切指示部を有し、この締切指示部が操作されることにより、前記締切受付部に対して前記締切通知を出力し、前記釣銭機から前記入金データを取得することが好ましい。
【０００９】
本発明の一態様によるレジ釣銭機システムにおいては、前記釣銭機は、入金締切を指示する締切指示部を有し、この締切指示部が操作されることにより、前記締切受付部が締切通知を受け付けるとともに、当該釣銭機が前記レジスタに対し入金締切通知を出力し、
前記レジスタは、前記釣銭機から前記入金締切通知を受け取った後、前記合計金額の算出完了を条件として、前記釣銭機から前記入金データを取得することが好ましい。
【００１０】
本発明の一態様によるレジ釣銭機システムにおいては、前記釣銭機は、前記入金データを記憶する記憶部を有し、追加入金に伴い前記記憶部に記憶されている入金データを更新し、前記レジスタから入金データの出力要求を受け付けると、前記記憶部に記憶されている入金データを前記レジスタに通知することが好ましい。
【００１１】
本発明の一態様によるレジ釣銭機システムにおいては、前記釣銭機は、前記記憶部に記憶されている入金データを表示する表示部を有することが好ましい。
【００１２】
本発明の一態様によるレジ釣銭機システムにおいては、前記釣銭機が前記締切通知を受け取るか、又は釣銭貨幣を出金することに伴い、前記記憶部は、前記入金データを入金確定情報として記憶することが好ましい。
【００１３】
本発明の一態様によるレジ釣銭機システムにおいては、前記釣銭機は、過去の取引の入金確定情報の表示指示を受け付ける指示受付部を有し、前記指示受付部が前記表示指示を受け付けると、前記表示部が前記記憶部に記憶されている入金確定情報を表示することが好ましい。
【００１４】
本発明の一態様によるレジ釣銭機システムにおいては、前記指示受付部が前記表示指示を受け付ける度に、前記表示部は、前記記憶部に記憶されている前記入金確定情報を新しいものから順に１つずつ表示することが好ましい。
【００１５】
本発明の一態様によるレジ釣銭機システムにおいては、前記レジスタは、前記釣銭機が釣銭貨幣を出金すると、取引を識別する取引ＩＤを印字したレシートを出力すると共に、この取引ＩＤを前記釣銭機に通知し、前記記憶部は、前記入金確定情報と前記取引ＩＤとを紐付けて記憶し、前記指示受付部は、取引ＩＤが入力可能であり、前記指示受付部に前記表示指示と共に取引ＩＤが入力されると、前記表示部は、入力された取引ＩＤに紐付けられて前記記憶部に記憶されている入金確定情報を表示することが好ましい。
【００１６】
本発明の一態様によるレジ釣銭機システムにおいては、前記レジスタは、取引毎に前記合計金額及び前記釣銭額を前記釣銭機に通知し、前記釣銭機は、前記入金確定情報、前記合計金額、及び前記釣銭額を取引毎に前記記憶部に記憶し、前記表示部は、前記指示受付部が前記表示指示を受け付けると、前記入金確定情報、前記合計金額、及び前記釣銭額を表示することが好ましい。
【００１７】
本発明の一態様による釣銭機は、入金された貨幣の計数、入金データの作成、及びレジスタから指示された釣銭額の釣銭貨幣の出金を取引毎に行う釣銭機であって、貨幣の入金を締め切る締切通知を受け付ける締切受付部を備え、前記レジスタからの問い合わせに基づいて、前記入金データを前記レジスタに通知し、１つ前の取引に対応する釣銭貨幣を出金してから、前記締切受付部が前記締切通知を受け付けるまでの間、貨幣の入金を受け付けることができるものである。
【００１８】
本発明の一態様による釣銭機は、入金された貨幣の計数、入金データの作成、レジスタが算出した購入商品の合計金額の取得、前記入金データと前記合計金額とに基づく釣銭額の算出、及び前記釣銭額の釣銭貨幣の出金を取引毎に行う釣銭機であって、貨幣の入金を締め切る締切通知を受け付ける締切受付部を備え、１つ前の取引に対応する釣銭貨幣を出金してから、前記締切受付部が前記締切通知を受け付けるまでの間、貨幣の入金を受け付けることができるものである。
【００１９】
本発明の一態様による釣銭機機においては、機内に貨幣を補充する補充指示を受け付ける指示受付部をさらに備え、前記指示受付部が前記補充指示を受け付けると、作成した入金データを消去することが好ましい。
【発明の効果】
【００２０】
本発明によれば、チェックアウト処理を効率良く行い、かつ、顧客の支払金の入金処理タイミングの制限を緩和することができる。
【図面の簡単な説明】
【００２１】
【図１】本発明の実施形態に係るレジ釣銭機システムの外観斜視図である。
【図２】同実施形態に係るレジ釣銭機システムのブロック構成図である。
【図３】同実施形態に係る釣銭機の記憶部を示す図である。
【図４】同実施形態に係るレジ釣銭機システムを用いたチェックアウト処理を示すシーケンス図である。
【発明を実施するための形態】
【００２２】
以下、本発明の実施の形態を図面に基づいて説明する。
【００２３】
図１は、本発明の実施形態に係るレジ釣銭機システムの外観斜視図であり、図２は、レジ釣銭機システムのブロック構成図である。図１及び図２に示すように、レジ釣銭機システムは、顧客から支払われた貨幣の計数や釣銭の出金を行う釣銭機１と、顧客の購入商品の登録や釣銭額の算出を行うレジスタ３０とを備えている。
【００２４】
図１及び図２に示すように、レジスタ３０には、ディスプレイ３１、入力部３２、カスタマーディスプレイ３３、印字部３４、及び釣銭機１との通信機能を有する演算制御部３５が設けられている。レジスタ３０にはハンディスキャナや据置型スキャナ等のスキャナ機構（図示せず）が接続されている。スキャナ機構は、商品に付されたバーコード等の読み取りを行い、商品のコード情報（商品情報）を演算制御部３５に通知する。
【００２５】
演算制御部３５は、スキャナ機構から通知されたコード情報に基づいて顧客の購入商品の登録を行うと共に、商品の金額を取得する。例えば、演算制御部３５が、商品のコード情報と金額とが対応付けて記憶されているメモリ（図示せず）を検索することで、商品の金額を取得できる。顧客の購入商品の登録や金額の入力は、入力部３２を介してオペレータが手入力してもよい。
【００２６】
入力部３２には、顧客が購入する商品の合計金額の算出を指示する指示手段が設けられている。指示手段は例えば小計ボタンであり、オペレータによりこの小計ボタンが押されると、演算制御部３５が登録されている購入商品の合計金額を算出する。
【００２７】
演算制御部３５は、購入商品の合計金額を算出すると、釣銭機１に対して、現在の取引において入金された貨幣の総額（入金総額を含む入金データ）を問い合わせる。演算制御部３５は、釣銭機１から入金総額（入金データ）の応答を受け取ると、所定時間後（例えば２秒後）に、釣銭機１に対して、追加入金の有無を問い合わせる。演算制御部３５は、釣銭機１から追加入金が無いという応答を受け取るか、又は、前回の問い合わせに対する応答と同額の入金総額を受け取ると、釣銭機１に追加入金が無かったと判断し、釣銭機１に対して貨幣の入金を締め切る入金締切通知を出力する。
【００２８】
演算制御部３５は、前回の問い合わせに対する応答とは異なる金額の入金総額を受け取ると、追加入金があったと判断し、さらに所定時間後（例えば２秒後）に、釣銭機１に対して、追加入金の有無を問い合わせる。
【００２９】
このように、レジスタ３０（演算制御部３５）は、釣銭機１から入金総額を受け取った後、釣銭機１に対して追加入金の有無を少なくとも１回問い合わせる。
【００３０】
また、演算制御部３５は、入金締切通知の出力に伴い、購入商品の合計金額と釣銭機１への入金総額との差額である釣銭額を算出し、釣銭機１に釣銭の出金命令を出力する。
【００３１】
また、演算制御部３５は、ディスプレイ３１やカスタマーディスプレイ３３に、顧客の購入商品の情報（名称、単価等）、購入商品の合計金額、釣銭額等を表示させる。ディスプレイ３１はオペレータに向けた表示画面であり、カスタマーディスプレイ３３は顧客に向けた表示画面である。
【００３２】
演算制御部３５は、釣銭機１から釣銭の出金が完了したことを通知されると、印字部３４に、購入商品の情報（名称、単価等）、購入商品の合計金額、釣銭機１への入金総額、釣銭額等の１取引における様々な情報や、この取引を識別する取引ＩＤ（取引識別情報）を出力する。印字部３４は、演算制御部３５から受け取ったこれらの情報を印字したレシートを出力する。取引ＩＤは、例えば、このレジスタ３０が同日にチェックアウト処理を行った何回目の取引であったかを示す数字（番号）である。店舗に複数のレジスタ３０が設置されている場合は、各レジスタ３０にレジスタ３０を識別するレジＩＤ（レジ識別情報）を設定し、このレジＩＤをレシートに印字するようにしてもよい。
【００３３】
また、演算制御部３５は、登録した商品情報や、購入商品の合計金額、釣銭機１への入金総額、釣銭額等をホストコンピュータ（図示せず）へ送信してもよい。
【００３４】
次に、釣銭機１の構成について、図１及び図２を用いて説明する。釣銭機１は、硬貨釣銭機１Ａ、紙幣釣銭機１Ｂ、及びカスタマーディスプレイ１０を有する。硬貨釣銭機１Ａ及び紙幣釣銭機１Ｂは、それぞれ制御部Ｃ１、Ｃ２を有する。制御部Ｃ１、Ｃ２は互いに接続されており、制御部Ｃ２はカスタマーディスプレイ１０及びレジスタ３０の演算制御部３５にも接続されている。
【００３５】
硬貨釣銭機１Ａは、外部から硬貨を受け入れる硬貨受入部１１４、硬貨受入部１１４から受け入れた受入硬貨の識別計数を行う硬貨識別部１０１、硬貨識別部１０１による識別結果に応じて受入硬貨を額面別に収納する硬貨収納部１０６、及び機内の貨幣を外部に払い出す硬貨払出部１１６を備える。
【００３６】
図１に示すように、硬貨釣銭機１Ａは前部上面に操作表示部１１２を有する筐体１１０を備える。筐体１１０の前部には硬貨受入部１１４及び硬貨払出部１１６が設けられている。
【００３７】
硬貨受入部１１４は受け入れた硬貨を１層１列状態で１枚ずつ機内へ取り込む。受入部１１４の後方には取り込まれた硬貨を搬送する入金搬送部１０３が延びている。
【００３８】
この入金搬送部１０３の途中には硬貨の識別・計数を行う硬貨識別部１０１と、分岐部１０４が設けられている。分岐部１０４は硬貨識別部１０１の識別結果に基づいて、リジェクト硬貨等の硬貨払出部１１６から払い出される（放出される）硬貨を出金搬送部１０８へ案内（搬送）する。
【００３９】
正常硬貨等の機内に収納される硬貨は入金搬送部１０３により硬貨収納部１０６へ搬送される。硬貨収納部１０６は硬貨を金種別に収納し、例えば入金搬送部１０３の上流側から高額順に硬貨を収納する。
【００４０】
出金搬送部１０８は硬貨収納部１０６に収納された硬貨を取り出して、硬貨払出部１１６へ搬送する。また、分岐部１０４から案内された硬貨を硬貨払出部１１６へ搬送する。
【００４１】
制御部Ｃ１は貨幣釣銭機１Ａの各部の制御を行う。また、制御部Ｃ１は、入金された硬貨の計数結果を硬貨識別部１０１から受け取り、紙幣釣銭機１Ｂの制御部Ｃ２に通知する。制御部Ｃ１は、硬貨の入金がある度に計数結果を制御部Ｃ１に通知する。
【００４２】
また、制御部Ｃ１は、レジスタ３０の演算制御部３５から制御部Ｃ２を介して入金締切通知を受け取ると、硬貨受入部１１４の硬貨取り込みを停止させ、硬貨の入金を受け付けないようにする。
【００４３】
次に、紙幣釣銭機１Ｂの構成を説明する。紙幣釣銭機１Ｂは、外部から紙幣を受け入れる受入部２１４、受入部２１４から受け入れた紙幣の識別計数を行う識別部２０１、識別部２０１による識別結果に応じて紙幣を金種別に収納する収納部２０６、及び機内の紙幣を外部に払い出す払出部２１６を備える。
【００４４】
図１及び図２に示すように、紙幣釣銭機１Ｂは、筐体２１０と、この筐体２１０内の略中央部に設けられた環状の周回搬送部２０３ａとを備えている。また、受入部２１４、収納部２０６、払出部２１６、出金リジェクト部２０４、及び回収カセット２０７が、周回搬送部２０３ａの外周を取り囲むように配置されている。
【００４５】
また、受入部２１４、各収納部２０６、払出部２１６、出金リジェクト部２０４、及び回収カセット２０７と、周回搬送部２０３ａとの間を接続する紙幣の接続搬送部２０３ｂがそれぞれ形成されている。周回搬送部２０３ａには、通過する紙幣の識別・計数を行う識別部２０１が設けられている。
【００４６】
また、周回搬送部２０３ａと各接続搬送部２０３ｂとの間で紙幣の搬送経路を切り替える経路切替部（図示せず）が周回搬送部２０３ａに沿って配置されている。
【００４７】
図１及び図２に示すように、筐体２１０の前面には受入部２１４の受入口２１４ａと、払出部２１６の取出口２１６ａとが設けられている。回収カセット２０７は筐体２１０に対して着脱自在に取り付けられている。また、筐体２１０の前部上面に操作表示部２１２が設けられている。
【００４８】
受入部２１４は受入口２１４ａに挿入された紙幣を１枚ずつ取り込んで、周回搬送部２０３ａ側へ繰り出す。各収納部２０６は、識別部２０１の識別結果に基づいて紙幣を金種別に収納する。払出部２１６は、各収納部２０６から取り出された紙幣を取出口２１６ａより放出する。
【００４９】
出金リジェクト部２０４は、収納部２０６から繰り出された紙幣のうち、斜行等により識別部２０１で識別のできない紙幣を出金リジェクト紙幣として収納する。また、受入部２１４から取り込まれた紙幣のうち、汚損等により識別部２０１で識別のできない紙幣はリジェクト紙幣として払出部２１６に返却される。
【００５０】
さらに、紙幣釣銭機１Ｂには、記憶部２０が設けられている。図３に示すように、記憶部２０は、現在の取引において顧客から支払われ釣銭機１に入金された貨幣の入金総額（入金データ）を記憶する記憶領域２１と、過去の取引の入金確定額である入金確定情報を記憶する記憶領域２２を有する。記憶領域２２が記憶する入金確定情報の数は、任意に設定することができる。
【００５１】
制御部Ｃ２は紙幣釣銭機１Ｂの各部の制御を行う。また、制御部Ｃ２は、入金された紙幣の計数結果を識別部２０１から受け取り、制御部Ｃ１から受け取った硬貨の計数結果と加算して入金総額を算出し、算出した入金総額を含む入金データを作成する。制御部Ｃ２は、入金データを記憶部２０の記憶領域２１に書き込むと共に、カスタマーディスプレイ１０に表示させる。制御部Ｃ２は、貨幣（硬貨及び／又は紙幣）の入金がある度に、記憶領域２１に記憶されている入金データ及びカスタマーディスプレイ１０に表示されている入金データを更新する。顧客はカスタマーディスプレイ１０の表示から、自分が支払った金額を確認することができる。
【００５２】
また、制御部Ｃ２は、レジスタ３０の演算制御部３５から入金データの問い合わせ（入金データの出力要求）を受け付けると、この問い合わせに応答し、記憶領域２１に記憶されている入金データを演算制御部３５に通知する。
【００５３】
また、制御部Ｃ２は、演算制御部３５から追加入金の有無の問い合わせを受け付けると、この問い合わせに応答し、演算制御部３５に追加入金の有無を通知する。例えば、制御部Ｃ２は、前回の問い合わせに対して演算制御部３５に入金データを応答した後に追加入金があった場合、更新後の入金データを演算制御部３５に通知する。逆に、前回の問い合わせに対して演算制御部３５に入金データを応答した後、今回の問い合わせまでの間に追加入金がなかった場合、制御部Ｃ２は、追加入金がなかったこと、又は前回応答した入金データと同額の入金総額を含む入金データを演算制御部３５に通知する。
【００５４】
また、制御部Ｃ２は、演算制御部３５から入金締切通知を受け付けると、これを制御部Ｃ１に転送すると共に、受入部２１４の紙幣取り込みを停止させ、紙幣の入金を受け付けないようにする。さらに、この時、制御部Ｃ２は、記憶領域２１に記憶されている入金データ（入金総額）を入金確定額とし、現在の取引の入金確定情報を記憶領域２２に書き込み、記憶領域２１の入金データをクリアする。
【００５５】
制御部Ｃ２は、レジスタ３０の演算制御部３５から出力された釣銭出金命令に基づいて、払出部２１６から釣銭紙幣が払い出されるように、紙幣釣銭機１Ｂ内の各部の制御を行う。そして、制御部Ｃ２は、釣銭硬貨出金指示を制御部Ｃ１へ出力する。制御部Ｃ１はこの釣銭硬貨出金指示に基づいて硬貨払出部１１６から釣銭硬貨が払い出されるように、硬貨釣銭機１Ａ内の各部の制御を行う。釣銭紙幣及び釣銭硬貨の出金が完了すると、制御部Ｃ２は、レジスタ３０の演算制御部３５に釣銭出金完了を通知する。
【００５６】
制御部Ｃ１は釣銭硬貨の支払いに伴い、硬貨受入部１１４の硬貨取り込みを再開し、硬貨の入金を受け付けるようにする。また、制御部Ｃ２は、釣銭紙幣の出金に伴い、受入部２１４の紙幣取り込みを再開し、紙幣の入金を受け付けるようにする。このように、釣銭機１は、現在の取引の釣銭出金に伴い、次の取引における顧客の支払い貨幣が入金できるようになる。
【００５７】
図１に示すように、硬貨釣銭機１Ａ及び紙幣釣銭機１Ｂの前面上部にはオペレータからの各種指示を受け付ける指示受付部１１２、２１２が設けられている。指示受付部２１２は、過去の取引の入金確定情報をカスタマーディスプレイ１０に表示する指示を受け付けることができる。指示受付部２１２が過去の取引の入金確定情報の表示指示を受け付けると、制御部Ｃ２は、記憶部２０の記憶領域２２から過去の取引の入金確定情報を取り出し、カスタマーディスプレイ１０に表示させる。例えば、指示受付部２１２が過去の取引の入金確定情報の表示指示を受け付ける度に、制御部Ｃ２が、記憶領域２２の入金確定情報を取引の新しい順に１つずつ取り出してカスタマーディスプレイ１０に表示させる。このようにすることで、過去に商品を購入した顧客が、自分の支払い金額を後から確認することができる。
【００５８】
次に、このレジ釣銭機システムを用いたチェックアウト処理を、図４に示すシーケンス図を用いて説明する。ここで、チェックアウト処理とは、顧客の購入商品の登録、買上合計金額の算出、顧客の支払金の入金、釣銭の出金、レシートの出力を含む処理をいい、１回のチェックアウト処理が１取引に相当する。なお、図４は、レジ釣銭機システムがＮ−１回（Ｎは２以上の整数）のチェックアウト処理を行った後の、Ｎ回目のチェックアウト処理を示す。
【００５９】
（ステップＳ１）顧客が支払った貨幣が釣銭機１（硬貨釣銭機１Ａ及び紙幣釣銭機１Ｂ）に入金される。前回（Ｎ−１回目）のチェックアウト処理における釣銭出金が完了しており、釣銭機１は入金を受け付けることができる状態である。
【００６０】
（ステップＳ２）釣銭機１が、入金された貨幣の識別・計数を行う。そして、計数結果（入金データ）が記憶部２０の記憶領域２１に格納されると共に、カスタマーディスプレイ１０に表示される。
【００６１】
（ステップＳ３）顧客がさらに支払った貨幣が釣銭機１に入金される。
【００６２】
（ステップＳ４）釣銭機１が、入金された貨幣の識別・計数を行う。そして、記憶領域２１に記憶されている入金データが更新されると共に、更新された入金データがカスタマーディスプレイ１０に表示される。このようにすることで、顧客は、釣銭機が受け入れた入金総額を貨幣入金の度にカスタマーディスプレイ１０で目視確認することができるので、意図した金額の入金がなされていることの確認ができるとともに、入金総額を確認しながら追加入金の要否を判断することができる。
【００６３】
（ステップＳ５）スキャナ機構が、顧客の購入商品の商品情報（コード情報）を読み取って、レジスタ３０に通知する。
【００６４】
（ステップＳ６）レジスタ３０が、購入商品の登録を行う。
【００６５】
ここで、商品情報の読み取り（ステップＳ５）と購入商品の登録（ステップＳ６）は、購入商品の数だけ行われる。また、釣銭機１への貨幣の入金（ステップＳ１、Ｓ３）及び入金貨幣の計数等（ステップＳ２、Ｓ４）と、商品情報の読み取り（ステップＳ５）及び購入商品の登録（ステップＳ６）は、それぞれ独立して行われる。例えば、スキャナ機構を用いて商品情報の読み取りを行うオペレータ（店員）とは別に、顧客から支払われた貨幣を釣銭機１へ投入するオペレータ（店員）がいる場合などは、これらの処理を並行して行うことができる。また、貨幣の入金、入金貨幣の計数は、購入商品の登録前に行うこともできる。
【００６６】
（ステップＳ７）全ての購入商品のコード情報の読み取りが終了すると、レジスタ３０の入力部３２に、買上合計金額の算出指示が与えられる。例えば、入力部３２に設けられた小計ボタンが押される。
【００６７】
（ステップＳ８）レジスタ３０が購入商品の合計金額を算出する。算出した合計金額は、ディスプレイ３１及びレジスタ３０のカスタマーディスプレイ３３に表示され顧客が確認できるので、顧客は入金すべき金額や、追加入金の要否を判断できる。
【００６８】
（ステップＳ９）合計金額の算出に伴い、レジスタ３０が釣銭機１に対して入金データを問い合わせる（入金データの出力を要求する）。
【００６９】
（ステップＳ１０）釣銭機１が、記憶部２０の記憶領域２１に記憶されている入金データをレジスタ３０に通知する。これにより、レジスタ３０は、購入商品の登録前や登録中に顧客が入金した貨幣の総額を得ることができる。
【００７０】
（ステップＳ１１）レジスタ３０が釣銭機１に対して追加入金の有無を問い合わせる。
【００７１】
（ステップＳ１２）釣銭機１が、追加入金の有無の問い合わせに応答する。追加入金があった場合、釣銭機１は、更新した入金データをレジスタ３０に通知する。追加入金がなかった場合、釣銭機１は、レジスタ３０に、ステップＳ１０で通知した入金データと同額の入金総額を含む入金データを通知するか、又は、追加入金がなかったことを通知する。これにより、レジスタ３０は、購入商品の登録後に顧客が入金した貨幣の総額、又は購入商品の登録前後にわたり顧客が入金した貨幣の総額を得ることができる。
【００７２】
なお、図４に示す例では追加入金がなく、かつ入金総額が購入商品の合計金額以上である場合の処理を示しているが、追加入金があった場合は、追加入金の問い合わせ（ステップＳ１１）及び応答（ステップＳ１２）が繰り返されることになる。また、入金総額が購入商品の合計金額未満である場合は、レジスタ３０は釣銭機１に対して所定時間毎に追加入金の有無（入金総額）を問い合わせる。
【００７３】
（ステップＳ１３）新たな追加入金がなく、かつ入金総額が購入商品の合計金額以上となった場合は、レジスタ３０が、釣銭機１に対して入金の締切を通知する。釣銭機１は、レジスタ３０からこの入金締切通知を受け取ると、貨幣の入金を受け付けない状態となる。
【００７４】
（ステップＳ１４）釣銭機１が、記憶領域２１に記憶されている入金データを現在の取引（第Ｎ取引）の入金確定額として記憶領域２２に書き込み、記憶領域２１の入金データをクリアする。
【００７５】
（ステップＳ１５）レジスタ３０が、釣銭機１から通知された（最新の）入金データに含まれる入金総額から、購入商品の合計金額を減じて、釣銭額を算出する。また、入金総額、購入商品の合計金額、釣銭額がカスタマーディスプレイ３３に表示される。
【００７６】
（ステップＳ１６）レジスタ３０が、釣銭機１に対して、算出した釣銭額の貨幣を出金するように、釣銭出金命令を出力する。
【００７７】
（ステップＳ１７）釣銭機１が、レジスタ３０からの釣銭出金命令に基づいて、釣銭を出金する。
【００７８】
（ステップＳ１８）釣銭機１が、釣銭出金完了をレジスタ３０に通知する。また、釣銭機１は、釣銭の出金完了に伴い、貨幣入金可能な状態となる。これにより、次にチェックアウト処理を行う顧客から支払われる貨幣を釣銭機１に入金することが可能となる。
【００７９】
なお、入金総額が購入商品の合計金額と等しく釣銭が必要ない場合、レジスタ３０が、釣銭機１に対して、ステップＳ１６の釣銭出金命令に代えて釣銭不要通知を出力し、釣銭機１を次の取引のために入金可能な状態にするようにしてもよい。あるいはまた、レジスタ３０は、０円の釣銭出金命令を出力し、釣銭機１は実際には出金動作を行わずに、釣銭出金完了をレジスタ３０に通知してもよい。
【００８０】
（ステップＳ１９）レジスタ３０が、購入商品の情報（名称、金額等）、購入商品の合計金額、釣銭機１への入金総額、釣銭額等の１取引における様々な情報や、この取引を識別する取引ＩＤを印字したレシートを出力する。レシート出力により、第Ｎ取引（Ｎ回目のチェックアウト処理）が終了する。
【００８１】
（ステップＳ２０）次にチェックアウト処理（第Ｎ＋１取引）を行う顧客が支払った貨幣が釣銭機１に入金される。本ステップにおける入金処理は、ステップＳ１９のレシート出力より前に、又はレシート出力と並行して行うことができる。
【００８２】
（ステップＳ２１）釣銭機１が、ステップＳ２０で入金された貨幣の識別・計数を行い、入金総額を算出し、入金データを作成する。そして、作成された入金データが記憶部２０の記憶領域２１に書き込まれると共に、カスタマーディスプレイ１０に表示されている前回取引（第Ｎ取引）の入金総額がクリアされ、新たに本ステップで算出された入金総額が表示される。次の顧客が入金を行うまでは第Ｎ取引の入金総額、買上合計金額、釣銭額が表示されているので、第Ｎ取引の顧客は、釣銭受け取り後であってもチェックアウト処理の内容を確認することができる。
【００８３】
このように、本実施形態に係るレジ釣銭機システムでは、購入商品の登録前や登録中に釣銭機１への貨幣の入金及び入金貨幣の計数を行うことができるため、全ての購入商品の登録後に入金を行う従来のシステムと比較して、チェックアウト処理に要する時間を短縮することができる。
【００８４】
また、レジスタ３０が購入商品の合計金額を算出して釣銭機１から入金総額の情報を取得した後、レジスタ３０が釣銭機１に対して追加入金の有無を少なくとも１回問い合わせてから、釣銭機１を入金できない状態にする。このことにより、顧客が購入商品の合計金額をカスタマーディスプレイ３３等で確認してから追加入金する時間的余裕が生じ、顧客は、所望の釣銭（例えば貨幣枚数の少ない釣銭）になるように追加入金することができる。従って、商品登録が終了したときに、入金額と買上合計金額との比較を即時行い、入金額が買上合計金額以上であった場合に釣銭を払い出す従来のシステムと比較して、顧客の支払金の入金可能タイミングの制限を緩和することができ、顧客が所望の釣銭を受け取ることができるようになる。
【００８５】
このように、本実施形態に係るレジ釣銭機システムにより、チェックアウト処理を効率良く行い、かつ、顧客の支払金の入金処理タイミングの制限を緩和することができる。
【００８６】
上記実施形態では、釣銭機１への入金総額を含む入金データを作成し、記憶部２０に記憶させたり、レジスタ３０へ通知したりしていたが、この入金データは、貨幣の金種別枚数や金種別の総額を含むものであってもよい。レジスタ３０は、金種別枚数や金種別総額から入金総額を算出し、釣銭額を求めることができる。入金データは、入金総額、金種別枚数、金種別総額のうちの少なくともいずれか１つを含むものであればよい。また、釣銭機１のカスタマーディスプレイ１０は、入金貨幣の総額、金種別枚数、金種別総額のいずれか１つを表示するのでもよいし、入金総額、金種別枚数、金種別総額のうちの２つ以上を同時に表示できるようにしてもよいし、切り替えて表示できるようにしてもよい。
【００８７】
上記実施形態では、釣銭機１は、入金締切通知の受信に伴い、入金確定情報の書き込みを行っていたが、釣銭出金命令の受信や、釣銭出金に伴って入金確定情報の書き込みを行ってもよい。
【００８８】
指示受付部２１２に取引ＩＤの入力機能を持たせ、レジスタ３０が、釣銭出金命令と共に、取引ＩＤを釣銭機１に通知し、入金確定情報と取引ＩＤとが紐付けられて記憶領域２２に書き込まれるようにしてもよい。この場合、制御部Ｃ２は、指示受付部２１２から入力された取引ＩＤに紐付けられた入金確定情報を記憶領域２２から取り出し、カスタマーディスプレイ１０に表示させる。このことにより、所望の過去の取引の入金確定情報を速やかにカスタマーディスプレイ１０に表示させることができる。レジスタ３０は、釣銭機１から釣銭出金完了を通知された後、例えばレシートの出力に伴い、取引ＩＤをレジスタ３０に通知してもよい。
【００８９】
また、レジスタ３０が、釣銭出金命令と共に、又は釣銭機１から釣銭出金完了を通知された後に、現在の取引における購入商品の合計金額を釣銭機１に通知し、釣銭機１が、レジスタ３０から通知された合計金額と共に入金確定情報を記憶領域２２に書き込んでもよい。さらに、釣銭機１は、入金確定情報と共に釣銭額を記憶領域２２に書き込んでも良い。この場合、カスタマーディスプレイ１０は、過去の取引の入金確定情報だけでなく、購入商品の合計金額や釣銭額を表示することができる。
【００９０】
釣銭機１の指示受付部２１２が、貨幣の補充指示を受け付けられるようにしてもよい。制御部Ｃ２は、指示受付部２１２を介して補充指示を受け付けると、記憶領域２１に記憶されている入金データをクリアする。このような釣銭機１に対して貨幣を補充する場合は、まず補充用の貨幣を入金し、その後、指示受付部２１２に補充指示を与える。釣銭機１は、補充用の貨幣についても計数し、入金データ（入金総額）を記憶領域２１に書き込むが、補充指示により記憶領域２１の入金データがクリアされる。これにより、貨幣補充後の取引における入金データに影響を与えることなく、貨幣の補充を行うことができる。
【００９１】
上記実施形態では、レジスタ３０が釣銭機１に対して入金総額を問い合わせた後、追加入金の有無を少なくとも１回問い合わせていたが、オペレータからの指示により、追加入金の有無の問い合わせを省略できるようにしてもよい。顧客によっては、追加入金の意思が全く無かったり、一刻も早く釣銭を受け取ることを望んでいたりする。そのような場合は、追加入金の有無の問い合わせを省略することで、釣銭を速やかに出金し、チェックアウト処理をさらに迅速に行うことができる。
【００９２】
また、オペレータからの指示により、レジスタ３０が釣銭機１に対して入金締切通知を出力することを一時停止できるようにしてもよい。顧客が追加入金の意思を示しながらも貨幣の取り出しに手間取っている場合などは、入金締切通知の出力を一時停止することで顧客はあわてることなく貨幣を取り出し、追加入金することができる。
【００９３】
また、レジスタ３０の入力部３２に入金締切ボタン（締切指示部）を設け、オペレータによりこの入金締切ボタンが押されると、レジスタ３０が釣銭機１に対して入金締切通知を出力するとともに、入金データの出力を要求するようにしてもよい。これにより、釣銭機１は、貨幣の入金を受け付けない状態になるとともに、記憶領域２１内の入金データをレジスタ３０へ出力する。そして、釣銭機１は、記憶領域２１内の入金データを入金確定情報として記憶領域２２に書き込み、記憶領域２１内の入金データを消去する。このようにレジスタ３０に入金締切ボタンを設けることで、店員の判断で、釣銭機１を入金不可状態にすることができ、チェックアウト処理をさらに迅速に行うことができる。
【００９４】
また、釣銭機１に入金締切ボタン（締切指示部）を設け、顧客によりこの入金締切ボタンが押されると、制御部Ｃ１、Ｃ２が入金締切通知を受け付けて釣銭機１を入金不可状態にしてもよい。この場合、釣銭機１がレジスタ３０に対して入金締切通知を出力して、釣銭機１が入金不可状態になっていることを通知する。レジスタ３０は、釣銭機１から入金締切通知を受け取ると、購入商品の合計金額の算出後に、釣銭機１に対して入金データの出力を要求する。釣銭機１は、レジスタ３０からの入金データ出力要求に応じて、記憶領域２１内の入金データをレジスタ３０へ出力し、記憶領域２１内の入金データを入金確定情報として記憶領域２２に書き込み、記憶領域２１内の入金データを消去する。
【００９５】
入金締切ボタンは顧客が操作し易い箇所に設けることが好ましく、操作表示部１１２、２１２に設ける場合は、釣銭機１の前面を顧客側に向けて設置する。また、入金締切ボタンはカスタマーディスプレイ１０の近傍に設けてもよい。このように釣銭機１に入金締切ボタンを設けることで、顧客の判断で、釣銭機１を入金不可状態にすることができ、チェックアウト処理をさらに迅速に行うことができる。
【００９６】
また、釣銭機１が釣銭額の算出を行っても良い。具体的には、まず、レジスタ３０が、算出した購入商品の合計金額を釣銭機１へ送信する。釣銭機１は、レジスタ３０から受け取った合計金額と、釣銭機１に入金された貨幣の総額（入金データ）とから釣銭額を算出する。そして、釣銭機１は、算出した釣銭額の釣銭貨幣を出金する。このような場合であっても、上述したような追加入金の問い合わせ、入金締切通知、出金完了通知等の処理を適用することができ、例えば、レジスタ３０が釣銭機１に対して入金締切通知を出力するか、又は、釣銭機１がレジスタ３０に対して入金締切通知を出力し、釣銭機１が入金不可状態になった後に、レジスタ３０が購入商品の合計金額を釣銭機１へ送信する。
【００９７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９８】
１  釣銭機
１Ａ  硬貨釣銭機
１Ｂ  紙幣釣銭機
１０  カスタマーディスプレイ
２０  記憶部
２１、２２  記憶領域
３０  レジスタ
３１  ディスプレイ
３３  カスタマーディスプレイ
【図１】
2012128715.tif 000003
【図２】
2012128715.tif 000004
【図３】
2012128715.tif 000005
【図４】
2012128715.tif 000006